(57)【要約】【課題】  水受けトレーの排水性能が低下するのを抑制することが可能な昇降式収納装置を提供する。【解決手段】  この昇降式収納装置２００は、キッチン用フロアキャビネット１のカウンター１ａの一部に形成した昇降用開口５内に配置される水切り棚２と、水切り棚２をカウンター１ａの下方の収納空間１４に下降させるとともに、カウンター１ａの上方に上昇させる昇降機構６とを備え、水切り棚２の下部に設けた水受けトレー１０の排水口１０ａに排水パイプ２５の一方端２５ａを接続するとともに、排水パイプ２５を下方に向かって延在させながら、その他方端２５ｂを水受けトレー１０の排水口１０ａに対して所定の間隔Ｌを隔てた位置で水受け樋２３０ａの下部の排水路２３２ａに接続することを特徴とする。【選択図】  図８
2006296454.tif 000002
【特許請求の範囲】
【請求項１】
キッチン用フロアキャビネットのカウンターの一部に形成した昇降用開口内に配置される水切り棚と、前記水切り棚を前記カウンターの下方の収納空間に下降させるとともに、前記カウンターの上方に上昇させる昇降機構とを備えた昇降式収納装置において、
前記水切り棚の下部に設けた水受けトレーの排水口に排水パイプの一方端を接続するとともに、
前記排水パイプを下方に向かって延在させながら、前記排水パイプの他方端を前記水受けトレーの排水口に対して所定の間隔を隔てた位置で排水設備に接続することを特徴とする、昇降式収納装置。
【請求項２】
前記キッチン用フロアキャビネットに設けたシンクと対向する前記収納空間の内壁面で、かつ、前記昇降用開口のほぼ真下に、水平方向に対して傾斜して設けられる水受け樋と、
前記水受け樋の傾斜の下手側に接続されるとともに、前記収納空間の、前記水受けトレーの排水口に対して所定の間隔を隔てた位置に設けられる水受けマスとをさらに備え、
前記排水パイプを下方に向かって延在させながら、前記排水パイプの他方端を前記水受けマスに接続することを特徴とする、請求項１に記載の昇降式収納装置。
【請求項３】
前記キッチン用フロアキャビネットに設けたシンクと対向する前記収納空間の内壁面で、かつ、前記昇降用開口のほぼ真下に、水平方向に対して傾斜して設けられる水受け樋と、
前記水受け樋の傾斜の下手側に接続される水受けマスとをさらに備え、
前記排水パイプを下方に向かって延在させながら、前記排水パイプの他方端を前記水受け樋のうち前記水受けトレーの排水口に対して所定の間隔を隔てた位置に接続することを特徴とする、請求項１に記載の昇降式収納装置。
【請求項４】
前記水受け樋は、前記排水パイプの他方端が接続される排水路を含むことを特徴とする、請求項３に記載の昇降式収納装置。
【発明の詳細な説明】
【技術分野】
【０００１】
本発明は、キッチン用フロアキャビネットに装備される昇降式収納装置に関する。
【背景技術】
【０００２】
従来の一般的なキッチン用フロアキャビネットでは、皿や鍋、調味料などの収納物を収納するための収納部がカウンターの下方に設けられており、収納物の出し入れを行う際には、調理作業などを中断して屈んだ姿勢で収納物を出し入れする必要があった。
【０００３】
このため、従来、キッチン用フロアキャビネットの上方に配置された天袋に、上下方向に移動可能な収納部を設ける技術が知られている（たとえば、特許文献１および２参照）。この特許文献１および２に開示されたような昇降式収納装置では、収納物の出し入れを行う際に、天袋の収納部を引き下ろすことによって、立った姿勢のままで収納物の出し入れを行うことができるようにしている。
【０００４】
しかしながら、上記特許文献１および２のような従来の昇降式収納装置では、収納部が天袋に設けられているので、収納部を引き下ろした状態でも、収納部の上部に対して収納物の出し入れを行うのが困難な場合があるという不都合がある。また、キッチンとダイニングとの間に壁面が存在しない、いわゆるオープン型の対面キッチンにおいては、収納部を設置するための壁面（天袋）が存在しないので、昇降式収納装置を設置するのが困難であるという不都合がある。
【０００５】
そこで、上記した不都合を解消するために、本出願人は、オープン型の対面キッチンにも設置可能で、収納物を容易に出し入れすることが可能な昇降式収納装置を提案した。すなわち、本出願人による昇降式収納装置は、キッチン用フロアキャビネットのカウンターの一部に形成した昇降用開口内に配置される水切り棚（収納棚）と、その水切り棚をカウンターの下方の収納空間に下降させるとともに、カウンターの上方に上昇させる昇降機構とを備えている。この昇降式収納装置では、排水口を有する水受けトレーが水切り棚に設けられており、水受けトレーの排水口に排水パイプを接続することにより水受けトレーの排水を行っている。
【特許文献１】特開２０００−３１６６４３号公報
【特許文献２】特開２００１−１４９２９７号公報
【発明の開示】
【発明が解決しようとする課題】
【０００６】
上記した本出願人の提案による昇降式収納装置において、水切り棚（収納棚）の下降時に、排水パイプが折れ曲がることによって、水受けトレーの排水性能が低下するのを抑制したいという要望がある。
【０００７】
この発明は、上記のような要望に応えるためになされたものであり、水受けトレーの排水性能が低下するのを抑制することが可能な昇降式収納装置を提供することを目的とする。
【課題を解決するための手段】
【０００８】
上記目的を達成するために、この発明の昇降式収納装置は、キッチン用フロアキャビネットのカウンターの一部に形成した昇降用開口内に配置される水切り棚と、水切り棚をカウンターの下方の収納空間に下降させるとともに、カウンターの上方に上昇させる昇降機構とを備えた昇降式収納装置において、水切り棚の下部に設けた水受けトレーの排水口に排水パイプの一方端を接続するとともに、排水パイプを下方に向かって延在させながら、排水パイプの他方端を水受けトレーの排水口に対して所定の間隔を隔てた位置で排水設備に接続することを特徴とする。
【０００９】
部品点数が増加することなく、水受けトレーの排水性能が低下するのを抑制するために、キッチン用フロアキャビネットに設けたシンクと対向する収納空間の内壁面で、かつ、昇降用開口のほぼ真下に、水平方向に対して傾斜して設けられる水受け樋と、水受け樋の傾斜の下手側に接続されるとともに、収納空間の、水受けトレーの排水口に対して所定の間隔を隔てた位置に設けられる水受けマスとをさらに備え、排水パイプを下方に向かって延在させながら、排水パイプの他方端を水受けマスに接続する構成とすることが好ましい。
【００１０】
部品点数が増加することなく、水受けトレーの排水性能が低下するのを抑制し、かつ、装置の設計自由度を向上させるために、キッチン用フロアキャビネットに設けたシンクと対向する収納空間の内壁面で、かつ、昇降用開口のほぼ真下に、水平方向に対して傾斜して設けられる水受け樋と、水受け樋の傾斜の下手側に接続される水受けマスとをさらに備え、排水パイプを下方に向かって延在させながら、排水パイプの他方端を水受け樋のうち水受けトレーの排水口に対して所定の間隔を隔てた位置に接続する構成とすることが好ましい。
【００１１】
水受けトレーの排水性能が低下するのをより抑制するとともに、水受け樋の周辺に水が飛散するのを抑制するために、水受け樋は、排水パイプの他方端が接続される排水路を含む構成とすることが好ましい。
【発明の効果】
【００１２】
この発明の昇降式収納装置によれば、水受けトレーの排水口に一方端が接続された排水パイプを下方に向かって延在させながら、その他方端を水受けトレーの排水口に対して所定の間隔を隔てた位置で排水設備に接続するように構成することによって、排水パイプの他方端を排水口の下方近傍位置で排水設備に接続する場合と異なり、排水パイプの一方端と他方端とを平面的に見て離れた位置に配置することができるので、水切り棚の下降時に、排水パイプの一方端と他方端とが接近し過ぎるのを抑制することができる。これにより、水切り棚の下降時に、排水パイプが屈曲して折れ曲がるのを抑制することができるので、排水パイプによる水受けトレーの排水を円滑に行うことができる。その結果、水切り棚の下降時に、水受けトレーの排水性能が低下するのを抑制することができる。また、水切り棚の下降時に、排水パイプが屈曲して折れ曲がるのを抑制することができるので、排水パイプが劣化などにより比較的早期に破損するのを抑制する効果も奏する。
【発明を実施するための最良の形態】
【００１３】
以下、本発明の実施形態を図面に基づいて説明する。
【００１４】
（第１実施形態）
図１および図２は、本発明の第１実施形態による昇降式収納装置を含むキッチン用フロアキャビネットの全体構成を示した斜視図であり、図３〜図７は、図１に示したキッチン用フロアキャビネットの昇降式収納装置の構成を示した図である。まず、図１〜図７を参照して、本発明の第１実施形態による昇降式収納装置１００を含むキッチン用フロアキャビネット１について説明する。なお、第１実施形態では、キッチンとダイニング・リビングとの間に壁面が存在しない、いわゆるオープン型の対面キッチンにキッチン用フロアキャビネット１を適用する例を示したが、オープン型の対面キッチン以外のキッチンにもキッチン用フロアキャビネット１を適用可能である。
【００１５】
キッチン用フロアキャビネット１は、図１および図２に示すように、上面を覆うカウンター１ａと、カウンター１ａ上の右側位置に設けられたシンク３と、シンク３の後方（キッチンからダイニング・リビングに向かう方向）に配置された本発明の第１実施形態による昇降式収納装置１００とを備えている。なお、昇降式収納装置１００は、シンク３の側方に配置されていてもよい。また、キッチン用フロアキャビネット１における左右方向は、ユーザがキッチンからダイニング・リビングを向いた状態を基準としている。
【００１６】
第１実施形態による昇降式収納装置１００は、図４、図５および図６（ａ）に示すように、食器類の水切りを行うための水切り棚２と、水切り棚２を昇降可能に支持する昇降機構６とにより構成されている。水切り棚２は、図２に示すように、カウンター１ａの一部に形成された昇降用開口５内に配置されている。昇降用開口５には、横長形状のカバー枠８が装着されている。また、水切り棚２は、図１および図２に示すように、水切り棚２の下方に設けられた昇降機構６（図４および図５参照）により、カウンター１ａの下方の下降位置Ｄ（図１参照）とカウンター１ａの上方の上昇位置Ｕ（図２参照）との間を昇降可能なように構成されている。
【００１７】
水切り棚２には、図２および図７（ａ）に示すように、食器類を載置して水切りを行うための２つの水切り部２ａおよび２ｂが上下２段で設けられている。また、水切り棚２の上面は、天板カウンター４により覆われている。この天板カウンター４は、図１に示すように、水切り棚２が下降位置Ｄに位置する際に、カバー枠８（図２参照）とともに昇降用開口５を覆うようにキッチン用フロアキャビネット１のカウンター１ａの上面とわずかな間隔を隔てて対向配置されることによって、カウンター１ａの一部を構成する。これにより、水切り棚２の天板カウンター４の上面を作業スペースとして利用することが可能である。
【００１８】
また、天板カウンター４の前面の右側位置には、水切り棚２の昇降操作を行うためのスイッチパネル７が取り付けられている。このスイッチパネル７には、図３に示すように、上昇スイッチ７ａ、停止スイッチ７ｂおよび下降スイッチ７ｃと、点滅ランプやスピーカーなどからなるトラップ給水報知・警報部７ｄ、異物挟み込み報知・警報部７ｅおよび過積載報知・警報部７ｆとが設けられている。
【００１９】
また、水切り棚２は、図５および図７（ａ）に示すように、横長形状の上部フレーム２Ａおよび下部フレーム２Ｂと、縦長形状の左側部フレーム２Ｃおよび右側部フレーム２Ｄとを溶接などにより一体的に組み立てることにより構成されている。上部フレーム２Ａ、下部フレーム２Ｂ、左側部フレーム２Ｃおよび右側部フレーム２Ｄにより囲まれる水切り棚２の後面側（ダイニング・リビング側）には、化粧板１１が取り付けられている。また、左側部フレーム２Ｃ、右側部フレーム２Ｄおよび上部フレーム２Ａには、図７（ａ）に示すように、それぞれ、化粧板１２ａ、１２ｂおよび１２ｃが取り付けられている。なお、化粧板１１を透光性材料により形成した場合には、光が化粧板１１を透過することが可能になるので、ダイニング・リビング側からの光により水切り棚２の内部を明るく照らすことが可能になる。
【００２０】
また、水切り棚２の化粧板１２ｃには、換気ファン３５が取り付けられている。この換気ファン３５には、湿度を検出する湿度センサー（図示せず）が取り付けられており、湿度が所定値以上のときに換気ファン３５を駆動させるように構成されている。なお、換気ファン３５は、後述する収納空間１４の内部に取り付けられていてもよい。また、上述した天板カウンター４は、化粧板１２ｃを介して水切り棚２の上部フレーム２Ａに取り付けられている。
【００２１】
昇降用開口５の下方に位置するキッチン用フロアキャビネット１の内部には、図４〜図６に示すように、下降位置Ｄに位置する水切り棚２を収容可能な収納空間１４が設けられている。この収納空間１４は、左側板１４Ａ、右側板１４Ｂおよび底板１４Ｃにより上面が開口したコの字状に形成されており、左側板１４Ａ、右側板１４Ｂおよび底板１４Ｃにより囲まれるキッチン側の面には、背板１４Ｄが取り付けられるとともに、左側板１４Ａ、右側板１４Ｂおよび底板１４Ｃにより囲まれるダイニング・リビング側の面には、点検用扉１４Ｅ（図６参照）が開閉可能に取り付けられている。なお、収納空間１４に取り付けられた背板１４Ｄは、本発明の「収納空間の内壁面」の一例である。
【００２２】
また、収納空間１４には、図４、図５および図６（ａ）に示すように、水切り棚２を昇降させるための昇降機構６が設置されている。すなわち、収納空間１４の左側板１４Ａおよび右側板１４Ｂの内面には、図６（ａ）に示すように、それぞれ、上下方向に延びる一対のガイドレール１５が固定されている。また、一対のガイドレール１５の間には、図６（ｂ）に示すように、ガイドレール１５の上端部および下端部に対応する位置に、上プーリ１６Ａおよび下プーリ１６Ｂが各々固定されている。
【００２３】
水切り棚２の左側部フレーム２Ｃの下部および右側部フレーム２Ｄの下部には、図５に示すように、それぞれ、Ｈ字状（図７（ｂ）参照）のブラケット１７が固定されている。このブラケット１７には、図７（ｂ）に示すように、一対のガイドレール１５に対して上下方向に摺動可能に嵌り込む４つの合成樹脂製のシュー１８が取り付けられている。そして、ブラケット１７のシュー１８がガイドレール１５により上下方向にガイドされながら摺動することによって、図１および図２に示すように、水切り棚２がカウンター１ａの下方の下降位置Ｄとカウンター１ａの上方の上昇位置Ｕとの間で昇降移動される。
【００２４】
また、収納空間１４の底板１４Ｃの中央位置には、図４、図５および図６（ａ）に示すように、駆動源としての電動モータ２０と、電動モータ２０によりチェーン２１ａを介して一体的に駆動される２つのドラム２１Ａおよび２１Ｂとが設置されている。ドラム２１Ａには、ベルト２２Ａが下方から巻き付けられて、その内端部が固定されている。また、ドラム２１Ｂには、ベルト２２Ｂが上方から巻き付けられて、その内端部が固定されている。
【００２５】
また、ベルト２２Ａは、図５に示すように、左側板１４Ａの下プーリ１６Ｂと上プーリ１６Ａとに順次係合されて、その外端部が水切り棚２の左側部フレーム２Ｃのブラケット１７に固定されている。また、ベルト２２Ｂは、右側板１４Ｂの下プーリ１６Ｂと上プーリ１６Ａとに順次係合されて、その外端部が水切り棚２の右側部フレーム２Ｄのブラケット１７に固定されている。
【００２６】
したがって、スイッチパネル７の上昇スイッチ７ａ（図３参照）をプッシュ操作することで、電動モータ２０が正回転すると、ドラム２１Ａおよび２１Ｂが図４および図５の矢印ａ方向に駆動されて、ベルト２２Ａおよび２２Ｂがドラム２１Ａおよび２１Ｂに各々巻き取られる。そして、水切り棚２の左右のブラケット１７がガイドレール１５でガイドされながら、ベルト２２Ａおよび２２Ｂにより上方に引っ張られて上昇することにより、水切り棚２がカウンター１ａの上方の上昇位置Ｕ（図２参照）に向かって上昇される。その後、水切り棚２が上昇位置Ｕまで上昇されると、電動モータ２０が停止するとともに、逆回転しないようにロックされる。これにより、上昇スイッチ７ａをさらにプッシュ操作したとしても電動モータ２０がさらに正回転することのないように制御される。
【００２７】
また、スイッチパネル７の下降スイッチ７ｃ（図３参照）をプッシュ操作することで、電動モータ２０のロックが解除されて、水切り棚２の左右のブラケット１７がガイドレール１５でガイドされながら、水切り棚２が自重で下降する。これにより、水切り棚２がカウンター１ａの下方の下降位置Ｄ（図１参照）に下降される。なお、図５に示したブラケット１７´は、水切り棚２が下降位置Ｄに下降した際のブラケット１７を仮想的に示している。
【００２８】
また、上記した水切り棚２の下降操作の際、電動モータ２０を逆回転させながら左右のベルト２２Ａおよび２２Ｂをドラム２１Ａおよび２１Ｂから繰り出すが、この電動モータ２０の逆回転は、水切り棚２が自重で急激に下降することのないようにブレーキを掛けながら行われるように設定されている。なお、下降スイッチ７ｃをプッシュ操作することにより水切り棚２がカウンター１ａの下方の下降位置Ｄまで自動的に下降されるように構成したが、下降スイッチ７ｃをプッシュ操作することにより水切り棚２が下降位置Ｄの手前（たとえば、約１００ｍｍ）まで下降した後、下降スイッチ７ｃをさらにプッシュ操作（いわゆる２段押し）することにより下降位置Ｄまで下降するように構成してもよい。このように構成した場合には、装置の安全性をより向上させることが可能である。
【００２９】
また、スイッチパネル７の停止スイッチ７ｂをプッシュ操作することで、電動モータ２０が停止して、水切り棚２を上昇途中または下降途中の任意の位置で停止させることが可能である。
【００３０】
また、収納空間１４の底板１４Ｃの上面には、図４および図５に示すように、制御ボックス３２が取り付けられている。この制御ボックス３２の制御回路には、上述した電動モータ２０、各スイッチ７ａ〜７ｃおよび各報知・警報部７ｄ〜７ｆなどが接続されている。
【００３１】
また、水切り棚２の下部フレーム２Ｂには、図５に示すように、水受けトレー１０が取り付けられている。この水受けトレー１０は、底部の中央部が下方に向かって窪むようなすり鉢状に形成されており、水受けトレー１０の底部の中央部には排水口１０ａが設けられている。この排水口１０ａには、可撓性を有する排水パイプ２５の一方端２５ａが接続されている。
【００３２】
ここで、第１実施形態では、図５に示すように、収納空間１４の背板１４Ｄの内面側で、水受けトレー１０の排水口１０ａから所定の間隔Ｌを隔てた位置に、水受けマス２６が取り付けられている。この水受けマス２６は、図４、図５および図６（ｂ）に示すように、上部が開口した箱形状を有しており、水受けマス２６の下部にはＵ字状の排水トラップ２７の入口端が接続されている。また、排水トラップ２７の出口端は、排水管２８に接続されており、排水管２８は、収納空間１４の底板１４Ｃの開口１４ａを介して下水配管（図示せず）などに接続されている。
【００３３】
また、第１実施形態では、図６（ｂ）に示すように、収納空間１４の背板１４Ｄの内面側で、昇降用開口５のシンク３側のほぼ真下位置に、水受け樋３０が背板１４Ｄに対して密着状態で、かつ、水平方向に対して傾斜（図５参照）して取り付けられている。この水受け樋３０は、シンク３から水切り棚２に食器類を移動させる際に垂れ落ちた水などを受け止めるための機能を有している。また、水受け樋３０の傾斜の下手側端部は、図５に示すように、水受けマス２６の上部に接続されている。なお、上記した水受けマス２６と、排水トラップ２７と、排水管２８と、下水配管（図示せず）と、水受け樋３０とにより、本発明の「排水設備」が構成されている。
【００３４】
また、第１実施形態では、排水パイプ２５は、図５に示すように、下方に向かって延在しながら、その他方端２５ｂが水受けトレー１０の排水口１０ａから所定の間隔Ｌを隔てた位置に設けられた水受けマス２６の上部に接続されている。これにより、水受け棚２の水受けトレー１０の水は、排水パイプ２５を介して水受けマス２６に排出される。
【００３５】
第１実施形態では、上記のように、キッチン用フロアキャビネット１のカウンター１ａの一部に形成した昇降用開口５内に設置された水切り棚２を、昇降機構６により、昇降式収納装置１００の不使用時に、カウンター１ａの下方の収納空間１４に下降させるとともに、昇降式収納装置１００の使用時に、カウンター１ａの上方に上昇させるように構成することによって、キッチンとダイニング・リビングとの間に壁面が存在しないオープン型の対面キッチンに適用したキッチン用フロアキャビネット１にも、昇降式収納装置１００を容易に設置可能であり、水切り棚２をカウンター１ａの上方に上昇させた場合には、立った姿勢のままで水切り棚２に対して食器類の出し入れを行うことができる。
【００３６】
また、第１実施形態では、上記のように、水切り棚２を昇降機構６により昇降可能に構成することによって、水切り棚２をカウンター１ａの上方に上昇させた場合に、水切り棚２のいずれの段に対しても容易に食器類を出し入れすることができるとともに、水切り棚２をカウンター１ａの下方の収納空間１４に下降させた場合に、水切り棚２の天板カウンター４がカウンター１ａの一部を構成するので、カウンター１ａの上面をより広く使用することができ、その結果、作業性を向上させることができる。
【００３７】
また、第１実施形態では、上記のように、水受けトレー１０の排水口１０ａに一方端２５ａが接続された排水パイプ２５を、下方に向かって延在させながら、その他方端２５ｂを水受けトレー１０の排水口１０ａに対して所定の間隔Ｌを隔てた位置に設けられた水受けマス２６に接続するように構成することによって、排水パイプ２５の他方端２５ｂを排水口１０ａの下方近傍位置に設けられた排水設備などに接続する場合と異なり、排水パイプ２５の一方端２５ａと他方端２５ｂとを平面的に見て離れた位置に配置することができるので、水切り棚２の下降時に、排水パイプ２５の一方端２５ａと他方端２５ｂとが接近し過ぎるのを抑制することができる。これにより、水切り棚２の下降時に、排水パイプ２５が屈曲して折れ曲がるのを抑制することができるので、排水パイプ２５による水受けトレー１０の排水を円滑に行うことができる。その結果、水切り棚２の下降時に、水受けトレー１０の排水性能が低下するのを抑制することができる。
【００３８】
また、第１実施形態では、上記のように、水受けトレー１０の排水口１０ａに一方端２５ａが接続された排水パイプ２５を、下方に向かって延在させながら、その他方端２５ｂを水受けトレー１０の排水口１０ａに対して所定の間隔Ｌを隔てた位置に設けられた水受けマス２６に接続するように構成することによって、水切り棚２の下降時に、排水パイプ２５が屈曲して折れ曲がるのを抑制することができるので、排水パイプ２５が劣化などにより比較的早期に破損するのを抑制することができる。
【００３９】
また、第１実施形態では、上記のように、水受けトレー１０の排水口１０ａに一方端２５ａが接続された排水パイプ２５を、下方に向かって延在させながら、その他方端２５ｂを水受けトレー１０の排水口１０ａに対して所定の間隔Ｌを隔てた位置に設けられた水受けマス２６に接続することによって、シンク３から水切り棚２に食器類を移動させる際に垂れ落ちた水などを水受け樋３０を介して回収するための水受けマス２６に、排水パイプ２５を介して、水切り棚２の水受けトレー１０の水を排出することができるので、水切り棚２の水受けトレー１０の水を排水パイプ２５を介して排出するための排水用容器などを別途設ける必要がない。これにより、部品点数が増加することなく、水受けトレー１０の排水性能が低下するのを抑制することができる。
【００４０】
（第２実施形態）
図８〜図１０は、本発明の第２実施形態による昇降式収納装置の構成を示した図である。次に、図８〜図１０を参照して、本発明の第２実施形態による昇降式収納装置２００は、上記第１実施形態による昇降式収納装置１００とは異なる構成の排水設備を備えている。すなわち、第２実施形態による昇降式収納装置２００では、図８に示すように、収納空間１４の背板１４Ｄの内面側で、水受けトレー１０の排水口１０ａの下方近傍位置に、水受けマス２２６が取り付けられている。この水受けマス２２６には、水受けマス２２６以降の配管などが詰まった際に、補助的に水受けマス２２６の排水処理を行うための配管２４０が取り付けられている。また、水受けマス２２６は、図９に示すように、蓋２２６ａにより上方を覆われている。
【００４１】
また、第２実施形態では、図８に示すように、収納空間１４の背板１４Ｄの内面側で、昇降用開口５のほぼ真下位置に、一対の水受け樋２３０ａおよび２３０ｂが水平方向に対して傾斜して取り付けられている。この一対の水受け樋２３０ａおよび２３０ｂは、シンク３から水切り棚２に食器類を移動させる際に垂れ落ちた水などを受け止めるための機能を有している。一対の水受け樋２３０ａおよび２３０ｂは、水受けマス２２６を挟んで対向して配置されており、一対の水受け樋２３０ａおよび２３０ｂの傾斜の下手側端部は、それぞれ、水受けマス２２６の上部に接続されている。また、図１０に示すように、水受け樋２３０ａおよび２３０ｂと収納空間１４の背板１４Ｄとの間には、水受け樋２３０ａおよび２３０ｂの下方への水の浸入を防止するためのパッキン２３１が配置されている。
【００４２】
また、第２実施形態では、水受け樋２３０ａおよび２３０ｂの下部には、図１０に示すように、それぞれ、水受け樋２３０ａおよび２３０ｂに沿って延びる筒状の排水路２３２ａおよび２３２ｂが一体的に形成されている。この筒状の排水路２３２ａおよび２３２ｂは、水受け樋２３０ａおよび２３０ｂの傾斜の下手側端部において水受けマス２２６に接続されている。なお、水受けマス２２６と、排水トラップ２７と、排水管２８と、下水配管（図示せず）と、排水路２３２ａおよび２３２ｂを有する一対の水受け樋２３０ａおよび２３０ｂとにより、本発明の「排水設備」が構成されている。
【００４３】
また、第２実施形態では、水受けトレー１０の排水口１０ａに一方端２５ａが接続された排水パイプ２５は、図８に示すように、下方に向かって延在しながら、その他方端２５ｂが水受け樋２３０ａの傾斜の上手側端部において筒状の排水路２３２ａの図中右方端にエルボ２３３を介して接続されている。すなわち、排水パイプ２５の他方端２５ｂは、水受けトレー１０の排水口１０ａから所定の間隔Ｌを隔てた位置において排水路２３２ａに接続されている。これにより、水受け棚２の水受けトレー１０の水は、排水パイプ２５および排水路２３２ａを介して水受けマス２２６に排出される。
【００４４】
なお、第２実施形態による昇降式収納装置２００のその他の構成は、上記した第１実施形態による昇降式収納装置１００の構成とほぼ同様である。
【００４５】
第２実施形態では、上記のように、水受けトレー１０の排水口１０ａに一方端２５ａが接続された排水パイプ２５を、下方に向かって延在させながら、その他方端２５ｂを水受けトレー１０の排水口１０ａから所定の間隔Ｌを隔てた位置にある水受け樋２３０ａの傾斜の上手側端部においてエルボ２３３を介して排水路２３２ａに接続することによって、シンク３から水切り棚２に食器類を移動させる際に垂れ落ちた水などを一対の水受け樋２３０ａおよび２３０ｂを介して回収するための水受けマス２２６に、排水パイプ２５および排水路２３２ａを介して、水切り棚２の水受けトレー１０の水を排出することができるので、水切り棚２の水受けトレー１０の水を排水パイプ２５を介して排出するための排水用容器などを別途設ける必要がない。これにより、部品点数が増加することなく、水受けトレー１０の排水性能が低下するのを抑制することができる。
【００４６】
また、第２実施形態では、上記のように、排水パイプ２５の他方端２５ｂを水受け樋２３０ａに沿って一体的に形成された排水路２３２ａに接続することによって、排水パイプ２５の他方端２５ｂを水受けマス２２６に接続する場合と異なり、水受けマス２２６の設置位置が限定されないので、装置の設計自由度を向上させることができる。
【００４７】
また、第２実施形態では、上記のように、排水パイプ２５の他方端２５ｂを水受け樋２３０ａの下部に一体的に形成された排水路２３２ａに接続することによって、排水パイプ２５の他方端２５ｂを水受け樋２３０ａに直接接続する場合と異なり、排水パイプ２５を介して水受けトレー１０から排出された水が、水受け樋２３０ａ上に溜まった埃やゴミなどの異物を水受けマス２２６に向かって押し流すのを抑制することができるので、水受けマス２２６に埃やゴミなどの異物が流れ込むのを抑制することができる。これにより、水受けマス２２６以降の配管などの流路が詰まるのを抑制することができるので、水受けトレー１０の排水性能が低下するのをより抑制することができる。
【００４８】
また、第２実施形態では、上記のように、水受け樋２３０ａに筒状の排水路２３２ａを形成することによって、排水パイプ２５を介して水受けトレー１０から排出された水が筒状の排水路２３２ａ内を流れるので、水受け樋２３０ａの周辺に水が飛散するのを抑制することができる。
【００４９】
なお、第２実施形態のその他の効果は、上記した第１実施形態の効果と同様である。
【００５０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５１】
たとえば、上記第２実施形態では、水受けトレー１０の排水口１０ａに一方端２５ａが接続された排水パイプ２５の他方端２５ｂを、水受け樋２３０ａの排水路２３２ａに接続する例について示したが、本発明はこれに限らず、水受けトレー１０の排水口１０ａに一方端２５ａが接続された排水パイプ２５の他方端２５ｂを、水受け樋２３０ｂの排水路２３２ｂに接続しても同様の効果を得ることができる。
【００５２】
また、上記第２実施形態では、水受けトレー１０の排水口１０ａに一方端２５ａが接続された排水パイプ２５の他方端２５ｂを、水受け樋２３０ａの下部に一体的に形成された排水路２３２ａに接続する例について示したが、本発明はこれに限らず、水受けトレー１０の排水口１０ａに一方端２５ａが接続された排水パイプ２５の他方端２５ｂを、水受け樋２３０ａの樋上や外側部などに一体的に形成された排水路に接続してもよい。また、水受けトレー１０の排水口１０ａに一方端２５ａが接続された排水パイプ２５の他方端２５ｂを、水受け樋２３０ａに直接接続してもよい。
【００５３】
また、上記実施形態では、水受けトレー１０の排水口１０ａに一方端２５ａが接続された排水パイプ２５を、下方に向かって延在させながら、その他方端２５ｂを水受けトレー１０の排水口１０ａから所定の間隔Ｌを隔てた位置に設けられた水受けマス２６および水受け樋２３０ａの排水路２３２ａに接続するように構成したが、本発明はこれに限らず、水受けトレー１０の排水口１０ａに一方端２５ａが接続された排水パイプ２５を、下方に向かって延在させながら、その他方端２５ｂが水受けトレー１０の排水口１０ａから所定の間隔Ｌを隔てた位置に配置されるのであれば、水受けマス２６および水受け樋２３０ａの排水路２３２ａ以外の排水設備や、別途設けられた排水用容器などに接続されるように構成してもよい。
【００５４】
また、上記実施形態では、本発明の昇降式収納装置を、食器類を水切り部２ａおよび２ｂに載置することにより食器類の水切りを行う水切り棚２を備えた昇降式収納装置１００（２００）に適用する例について示したが、本発明はこれに限らず、乾燥手段を用いて載置した食器類を乾燥させることにより食器類の水切りを行う食器乾燥機や、乾燥前に載置した食器類の洗浄を行う機能が付加された食器洗い乾燥機などを備えた昇降式収納装置にも本発明を適用可能である。
【図面の簡単な説明】
【００５５】
【図１】本発明の第１実施形態による昇降式収納装置を含むキッチン用フロアキャビネットにおいて昇降式収納装置が下降した状態を示した斜視図である。
【図２】図１に示したキッチン用フロアキャビネットにおいて昇降式収納装置が上昇した状態を示した斜視図である。
【図３】図１に示した第１実施形態による昇降式収納装置のスイッチパネルを示した正面図である。
【図４】図２に示した第１実施形態による昇降式収納装置をダイニング・リビング側から見た状態を示した斜視図である。
【図５】図４に示した第１実施形態による昇降式収納装置をダイニング・リビング側から見た状態を示した正面図である。
【図６】（ａ）は、水切り棚を省略した状態の昇降式収納装置を示した平面図であり、（ｂ）は、昇降式収納装置の断面図である。
【図７】（ａ）は、天板カウンターを省略した状態の水切り棚を示した斜視図であり、（ｂ）は、ガイドレールおよびブラケットを示した斜視図である。
【図８】本発明の第２実施形態による昇降式収納装置をダイニング・リビング側から見た状態を示した正面図である。
【図９】図８に示した第２実施形態による昇降式収納装置の排水パイプおよび排水設備を示した斜視図である。
【図１０】図９に示した第２実施形態による昇降式収納装置の水受け樋の断面図である。
【符号の説明】
【００５６】
１  キッチン用フロアキャビネット
１ａ  カウンター
２  水切り棚
３  シンク
５  昇降用開口
６  昇降機構
１０  水受けトレー
１０ａ  排水口
１４  収納空間
１４Ｄ  背板（内壁面）
２５  排水パイプ
２５ａ  排水パイプの一方端
２５ｂ  排水パイプの他方端
２６、２２６  水受けマス
３０、２３０ａ  水受け樋
１００、２００  昇降式収納装置
２３２ａ  排水路
【図１】
2006296454.tif 000003
【図２】
2006296454.tif 000004
【図３】
2006296454.tif 000005
【図４】
2006296454.tif 000006
【図５】
2006296454.tif 000007
【図６】
2006296454.tif 000008
【図７】
2006296454.tif 000009
【図８】
2006296454.tif 000010
【図９】
2006296454.tif 000011
【図１０】
2006296454.tif 000012